Podtech/llm-jp-corpus-v4-ja_patent huggingface dataset:
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
画像装置、光カプラー及びコネクターを有するハンドル、及び
光ファイバーデバイスを取り囲む使捨てシースであって、コネクターによりハンドルに接続されかつ３ｍｍより小さい直径を有する前記シースを備え、哺乳類の身体内で観察するための光ファイバープローブ。
【請求項２】
ハンドル内に電池を更に備える請求項１の光ファイバープローブ。
【請求項３】
撮像装置に接続されたプロセッサーを更に備える請求項１の光ファイバープローブ。
【請求項４】
ハンドル内に光源を更に備える請求項１の光ファイバープローブ。
【請求項５】
光源が発光ダイオード（ＬＥＤ）又は赤、緑及び青の発光ダイオードのような複数個の発光ダイオードを備える請求項４の光ファイバープローブ。
【請求項６】
光源が窒化ガリウムダイオードレーザーのようなレーザーを備える請求項４の光ファイバープローブ。
【請求項７】
制御ユニットにビデオ画像を送信する無線送信機を更に備える請求項１の光ファイバープローブ。
【請求項８】
無線送信機回路モジュール、無線受信機及びアンテナを更に備える請求項７の光ファイバープローブ。
【請求項９】
電池、光源、プロセッサー及び撮像装置に接続された電力調整回路を更に備える請求項２の光ファイバーデバイス。
【請求項１０】
使捨てシースが、２ｍｍ未満の直径で５０ｍｍ及び２５００ｍｍの間の長さを有する同心のファイバーアレイを備え、更に、使捨てシースがハンドル及びファイバー撮像装置に取り外し可能に接続される請求項１の光ファイバーデバイス。
【請求項１１】
光ファイバーデバイスがハンドルに強固に接続された撮像用ファイバーのバンドルを備え、撮像用ファイバーのバンドルの末端が光カプラーに光学的に連結されている請求項１の光ファイバーデバイス。
【請求項１２】
撮像用ファイバーのバンドルの末端にレンズ、又は側方を見るプリズムを更に備える請求項１の光ファイバープローブ。
【請求項１３】
シースが、膨張用流体なしに身体内腔内に挿入可能である請求項１の光ファイバーデバイス。
【請求項１４】
ハンドルに連結可能であるベースユニットを更に備え、該ベースユニットが電池充電器を備える請求項１の光ファイバーデバイス。
【請求項１５】
ベースユニットが送信機及び通信網接続を備え、ベースユニットがコンピューターに接続され且つファクシミリ装置に接続される請求項１４の光ファイバーデバイス。
【請求項１６】
撮像装置が３００ｎｍから１９００ｎｍの範囲の光を検知する請求項１の光ファイバーデバイス。
【請求項１７】
シースを識別する識別回路を更に備える請求項１の光ファイバーデバイス。
【請求項１８】
識別回路が、シース上のバーコードを読み取るバーコードリーダーを備えるか、又は無線周波数識別システムを備える請求項１７の光ファイバーデバイス。
【請求項１９】
識別回路がハンドルに備えられる請求項１７の光ファイバープローブ。
【請求項２０】
シースが電子式識別子を備えるか又は一連番号を有する請求項１７の光ファイバープローブ。
【請求項２１】
撮像装置により検知される組織内に蛍光を誘導する光源を更に備える請求項１の光ファイバープローブ。
【請求項２２】
撮像装置が、可視及び近赤外線領域の光を検知するか又は７００ｎｍから１０００ｎｍの範囲の赤外線を検知する請求項１の光ファイバープルーブ。
【請求項２３】
組織標本を集めるために切断用部材を更に備える請求項１の光ファイバーデバイス。
【請求項２４】
身体の内腔又は窩洞内の対象領域に医薬又は造影用染料を給送するための流体給送通路を更に備える請求項１の光ファイバーデバイス。
【請求項２５】
ハンドル上の制御パネル及びハンドル上のディスプレイ装置を更に備える請求項１の光ファイバーデバイス。
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
以下を含み、電気紡績された（electrospun）繊維を含む少なくとも1つの層を含む、血管内装置：
内部区画を規定する拡張可能な実質的に管状の構造；
該構造により規定された内部区画に曝露された第一の重合層であって、内皮再形成を促進する薬剤、血栓症を阻害する薬剤、またはそれらの組み合わせを含む、第一の層；および
少なくとも一部が該内部区画の外側にある第二の重合層であって、孔が約100nm〜約5μmの平均幅を有し、血管平滑筋細胞に対して実質的に不透過性の孔を特徴とする、第二の層。
【請求項２】
第一の重合層が第一の電気紡績された繊維を含み、第二の重合層が第二の電気紡績された繊維を含む、請求項1記載の血管内装置。
【請求項３】
第一および第二の層が独立して、ポリウレタン、ポリ（エチレンオキシド）、ポリカーボネート、ポリスチレン、ポリアクリロニトリル、ポリアミド、ポリエーテルエステル、エチレンコポリマー、ポリエステル、コポリエステル、ポリアミド、ポリプロピレン、ポリエチレン、またはそれらの組み合わせからなる群より選択されるポリマーまたはコポリマーで形成される、請求項1記載の血管内装置。
【請求項４】
放出可能な薬剤を含む、請求項1記載の血管内装置。
【請求項５】
薬剤が、抗炎症剤、血管平滑筋細胞のための抗増殖剤、血管平滑筋細胞のための抗遊走剤、または血栓症を阻害する薬剤である、請求項4記載の血管内装置。
【請求項６】
第一の電気紡績された繊維が血栓症を阻害する薬剤を含み、第二の電気紡績された繊維が抗増殖剤または抗炎症剤を含む、請求項2記載の血管内装置。
【請求項７】
電気紡績された繊維が異相構造（bi-component）繊維を含む、請求項1記載の血管内装置。
【請求項８】
第一の層が実質的にステントを封入している、請求項1記載の血管内装置。
【請求項９】
第一および/または第二の層がポリエチレングリコールを含む、請求項1記載の血管内装置。
【請求項１０】
第一および第二の層の一方または両方に、内皮再形成を促進する薬剤、血栓症を阻害する薬剤、またはそれらの組み合わせが付着しているまたは移植されている、請求項1記載の血管内装置。
【請求項１１】
塩基性線維芽細胞増殖因子（bFGF）およびその活性断片、ラパマイシンおよびラパマイシン類似体、Taxol（商標）またはTaxan（商標）、デキサメタゾン、アンジオペプチン、Batimistat（商標）、Translast（商標）、Halofuginon（商標）、ニコチン、アセチルサリチル酸、Tranilast（商標）、everolimus（商標）、ヒルジン、ヘパリン、ステロイド、イブプロフェン、抗菌剤または抗生物質、組織血漿活性化剤、および抗繊維症剤（antifibrosis agents）からなる群より選択される薬剤をさらに含む、請求項1記載の血管内装置。
【請求項１２】
第二の層の孔の形状が実質的に細長く、孔の平均縦横比が約1.5〜約20である、請求項1記載の血管内装置。
【請求項１３】
第二の重合層の形状が織られたまたは織られていない布地である、請求項1記載の血管内装置。
【請求項１４】
以下を含み、生分解性の電気紡績された布地が0.1μm〜10μmの孔の幅を有し、孔が血管平滑筋細胞に対して実質的に不透過性である、血管内装置：
拡張可能な実質的に管状の構造成分；および
10〜1000nmの範囲の直径を有する電気紡績された繊維を含み、内皮再形成を促進する薬剤、血栓症を阻害する薬剤、またはそれらの組み合わせをさらに含む、構造成分に関連する生分解性の電気紡績された布地。
【請求項１５】
拡張可能な実質的に管状の構造がステントまたはステント移植片である、請求項14記載の血管内装置。
【請求項１６】
生分解性の電気紡績された布地が、電気紡績された繊維を含む第一および第二の層を含む、請求項14記載の血管内装置。
【請求項１７】
生分解性の電気紡績された布地が放出可能な薬剤を含む、請求項14記載の血管内装置。
【請求項１８】
生分解性の電気紡績された布地が、迅速放出部分および遅延放出部分を含む、請求項17記載の血管内装置。
【請求項１９】
拡張可能な実質的に管状の構造が、自動拡張するよう適合化された材料を含む、請求項14記載の血管内装置。
【請求項２０】
拡張可能な実質的に管状の構造が、バルーンにより拡張する（balloon-expanding）ステントである、請求項14記載の血管内装置。
【請求項２１】
少なくとも一つの層が、ポリエステルを含む電気紡績された繊維を含む、請求項16記載の血管内装置。
【請求項２２】
少なくとも一つの層が、コポリマーを含む電気紡績された繊維を含む、請求項16記載の血管内装置。
【請求項２３】
少なくとも一つの層が、コアシェル（core-shell）構造を有する電気紡績された繊維を含む、請求項16記載の血管内装置。
【請求項２４】
少なくとも一つの層が、ポリエチレングリコールを含む、請求項16記載の血管内装置。
【請求項２５】
薬剤が、第一および第二の層のうちの少なくとも一つの表面に移植される、請求項16記載の血管内装置。
【請求項２６】
生分解性の電気紡績された布地が、電気紡績された繊維を含む第三の層を含む、請求項16記載の血管内装置。
【請求項２７】
ヘパリンおよび/またはデキサメタゾンを含む、請求項14記載の血管内装置。
【請求項２８】
以下を含み、生分解性の電気紡績された布地が0.1μm〜10μmの孔の幅を有し、孔が血管平滑筋細胞に対して実質的に不透過性である、血管内装置：
拡張可能な実質的に管状の構造成分；および
コアシェル構造を有する電気紡績された繊維を含み、内皮再形成を促進する薬剤、血栓症を阻害する薬剤、またはそれらの組み合わせをさらに含む、構造成分に関連する生分解性の電気紡績された布地。
【手続補正書】
【提出日】平成21年2月2日(2009.2.2)
【手続補正１】
【補正対象書類名】特許請求の範囲
【補正対象項目名】全文
【補正方法】変更
【補正の内容】
【特許請求の範囲】
【請求項１】
システムにおいて、
薬剤を分与する手段と、
薬剤を分与する手段の起動に応答して薬剤の分与信号を送信する手段と、
植込み型医療装置内にて時間に基づくデータを取得する手段と、
時間に基づくデータ及び薬剤の分与信号を記憶する手段と、
時間に基づくデータに対する薬剤の分与信号の送信時間の表示と共に、時間に基づくデータを表示する手段とを備える、システム。
【請求項２】
薬剤ディスペンサにおいて、
薬剤を保持し得るようにされたリザーバと、
リザーバ内に保持された薬剤を解放する薬剤出口と、
リザーバ内に保持された薬剤が薬剤の出口を通して解放されるようにする薬剤の解放部材と、
薬剤の解放部材の起動に応答して薬剤の分与信号を送信するテレメトリー回路とを備える、薬剤ディスペンサ。
【請求項３】
植込み型医療装置において、
時間に基づいたデータを取得する手段と、
外部の薬剤ディスペンサから薬剤の分与データを受信する手段と、
薬剤の分与データと共に、時間に基づいたデータを記憶する手段とを備える、植込み型医療装置。
【手続補正書】
【提出日】平成21年2月19日(2009.2.19)
【手続補正１】
【補正対象書類名】特許請求の範囲
【補正対象項目名】全文
【補正方法】変更
【補正の内容】
【特許請求の範囲】
【請求項１】
0.02% w/v〜0.5% w/vのL-カルニチンおよび少なくとも１つの浸透圧性薬剤を含む腹膜透析のための溶液。
【請求項２】
カルニチンが0.02% w/v 〜0.45% w/vの範囲で含まれる請求項 1の溶液。
【請求項３】
L-カルニチンがその低級アルカノイル誘導体により置換されているかまたは部分的に置換されている請求項1または2の溶液。
【請求項４】
L-カルニチンまたはその低級アルカノイル誘導体の医薬上許容される塩が用いられる請求項1-3のいずれかの溶液。
【請求項５】
該塩が、塩化物、臭化物、オロチン酸塩、酸アスパラギン酸塩、酸クエン酸塩、マグネシウムクエン酸塩、酸リン酸塩、フマル酸塩および酸フマル酸塩、マグネシウムフマル酸塩、乳酸塩、マレイン酸塩および酸マレイン酸塩、ムケート、酸シュウ酸塩、パモ酸塩、酸パモ酸塩、酸硫酸塩、グルコースリン酸塩、酒石酸塩、酸酒石酸塩、マグネシウム酒石酸塩、2 -アミノエタンスルホン酸塩、マグネシウム2-アミノエタンスルホン酸塩、コリン酒石酸塩およびトリクロロ酢酸塩からなる群から選択される、請求項 6の溶液。
【請求項６】
該浸透圧性薬剤が以下からなる群から選択される請求項1-5のいずれかの溶液:グルコース; ガラクトース; キシリトール、ポリグルコース; フルクトース; ソルビトール; グリセロール; アミノ酸、トリピルビン酸グリセロール (トリピルビン)、単一のペプチド、ペプチド混合物、ポリペプチド、糖-ピルビン酸エステル、ポリオール-ピルビン酸エステル、ピルビン酸チオエステルまたはジヒドロキシアセトン-ピルビン酸エステルの形態のピルビン酸化合物。
【請求項７】
該浸透圧性薬剤がグルコースである請求項 6の溶液。
【請求項８】
グルコースが1.5% w/v〜 4.5% w/vの濃度にて含まれる請求項 7の溶液。
【請求項９】
以下の組成を有する腹膜透析のための溶液；
【表１】
2008532601.tif 000001
ただし「％」は w/v % を意味する。
【請求項１０】
グルコースおよびキシリトールを浸透圧性薬剤として含む請求項6-8のいずれかの溶液。
【請求項１１】
キシリトールが0.5% w/v〜 2.5% w/vの濃度にて含まれる請求項 10の溶液。 
【請求項１２】
以下の組成を有する請求項 11の溶液；
【表２】
2008532601.tif 000002
ただし「％」は w/v % を意味する。
【請求項１３】
以下の組成を有する腹膜透析のための溶液；
【表３】
2008532601.tif 000003
ただし「％」は w/v % を意味する。
【請求項１４】
さらに以下を含む請求項1-6のいずれかの溶液: 
120 〜150 (mEq/L) ナトリウム; 
0 〜110 (mEq/L) 塩化物;
0〜45 (mEq/L) 乳酸塩; 
0〜45 (mEq/L) 炭酸水素塩;
0〜4.0 (mEq/L) カルシウム; 
0〜4.0 (mEq/L) マグネシウム。
【請求項１５】
腹膜透析を必要とする患者の治療に有用な物質をさらに含む請求項1-14のいずれかの溶液。
【請求項１６】
該物質が、血管拡張薬、利尿薬、ホルモン、ビタミン、抗酸化剤および抗線維化剤からなる群から選択される、請求項 14の溶液。
【請求項１７】
該ビタミンが、葉酸、ビタミン B6、チアミン、ビタミン B2、およびそれらの医薬上許容される塩からなる群から選択される、請求項 16の溶液。
【請求項１８】
請求項1-17のいずれかの溶液を含む腹膜透析のためのパッケージ。
【手続補正書】
【提出日】平成21年2月27日(2009.2.27)
【手続補正１】
【補正対象書類名】特許請求の範囲
【補正対象項目名】全文
【補正方法】変更
【補正の内容】
【特許請求の範囲】
【請求項１】
液体透過性身体側シート、前記身体側シートの反対側にある液体不透過性衣類側シート、および前記身体側シートと前記衣類側シートの間にある液体吸収性コアを有する主部を備え、身体滲出物を吸収するように下着に位置決めする吸収性物品であって、前記物品の形状を画定する外縁部と中心領域とを有する物品であり、前記液体不透過性衣類側シートは、係合能力の異なるメカニカルファスニング要素を有する少なくとも２つの部位を備え、係合能力のより高い第１の部位が前記物品の中心領域に配置され、係合能力のより低い少なくとも１つの他の部位が前記中心領域と前記外縁部の間に配置されている物品。
【請求項２】
前記液体不透過性衣類側シートが、前記中心領域と前記外縁部の間に、係合能力の異なる複数の部位を備え、前記係合能力は前記物品の中心領域から縁部の方に向かって減少する、請求項１に記載の物品。
【請求項３】
前記本体が、反対側にある２つの縦縁部のそれぞれに、下着の反対側に折り返されるように構成されているフラップを有し、前記フラップのそれぞれが、前記フラップの中心領域に配置される係合能力のより高いファスニング要素を有する第１の部位、および、前記フラップの中心領域と縁部の間に配置される係合能力のより低いファスニング要素を有する少なくとも１つの他の部位を備える、請求項１または２のいずれか一項に記載の物品。
【請求項４】
身体滲出物を吸収するために下着に位置決めする吸収性物品の製造方法であって、
ａ）液体透過性身体側シート、前記身体側シートの反対側にある液体不透過性衣類側シート、および前記身体側シートと前記衣類側シートの間にある液体吸収性コアを有する主部を提供する工程と、
ｂ）前記液体不透過性衣類側シート上に、係合能力の異なるメカニカルファスニング要素を有する少なくとも２つの部位を提供し、係合能力のより高い第１の部位が前記物品の中心領域に配置され、係合能力のより低い少なくとも１つの他の部位が前記物品の中心領域と外縁部の間に配置される工程と、
を含む方法。
【手続補正２】
【補正対象書類名】明細書
【補正対象項目名】００２９
【補正方法】変更
【補正の内容】
【００２９】
図１〜図５では、本発明の吸収性物品２の典型的な形状の幾つかの実施形態を概略的に示す。吸収性物品２は、身体滲出物を吸収するように着用者の下着に位置決めされるように構成されている。物品２は、液体透過性身体側トップシート、前記トップシートの反対側にある液体不透過性衣類側バックシート、および身体側シートと衣類側シートの間にある液体吸収性コアを有する主部４を備える。物品は、物品の形状を画定する外縁部６と中心領域８を有する。液体不透過性衣類側シートは、係合特性の異なる（即ち、係合能力の異なる）少なくとも２つの部位を備える。係合能力のより高い第１の部位１２は物品２の中心領域８に配置され、係合能力のより低い少なくとも１つの他の部位１０は、中心領域８と外縁部６の間に配置される。両方の部位１０、１２にメカニカルファスニング要素が提供される。
【手続補正３】
【補正対象書類名】明細書
【補正対象項目名】００３１
【補正方法】変更
【補正の内容】
【００３１】
図１〜図４の実施形態による周縁の少なくとも１つの他の部位１０の幅ｗは、変化しても、又は一定であってもよく、好ましくは２〜２０ｍｍ、より好ましくは４〜１０ｍｍの範囲である。他の部位は、物品の周縁でストリップ形になっていると考えることができ、前記ストリップの幅は一定であるか又は変化する。図５による実施形態の第３の部位１３の幅は、同じ範囲であってもよい。
【手続補正４】
【補正対象書類名】明細書
【補正対象項目名】００４６
【補正方法】変更
【補正の内容】
【００４６】
或いは、図１〜図４の実施形態では、ストリップ形の少なくとも１つの他の部位１０が単一の部位であってもよい。また、物品の長円形の形状の上および下の湾曲した領域に、即ち、例えば図７および図８と関連して示される横縁部１５に、２つの他の部位を提供することも有利な場合がある。
【手続補正５】
【補正対象書類名】明細書
【補正対象項目名】００６５
【補正方法】変更
【補正の内容】
【００６５】
表１から、ＣＳ−６００フック材料の剥離強度は、使用される試験布帛に関係なく、ステムだけのものよりかなり高いことが分かる。これは、ステムが吸収性物品の限界部位、例えば、縁部位に使用された場合、ファスナは実質的に全く繊維を引裂しないため、下着の布帛は損傷を受けないことを意味する。これは、図６ａと６ｂを比較すると分かる。図６ａでは、試験布帛はＭ．０３６１であり、フック材料はＣＳ−６００フック材料であった。フック材料と試験布帛を数回、係合・係脱させた。これによって、図６ａで分かるように、布帛はかなり損傷する。対照的に、図６ｂでは、同じ試験布帛を、ＣＳ−６００の前駆体材料と一緒に、即ち、ステムだけと一緒に使用したが、数回係合・係脱した後、試験布帛は繊維が引裂されることなく本質的に完全なままである。それにもかかわらず、係合能力のより低いファスニング要素、例えば、これらの実施例で試験されるステムは、追加の剪断強度を提供し、従って、吸収性物品を下着に確実に固定することに寄与する。
【手続補正６】
【補正対象書類名】明細書
【補正対象項目名】００７１
【補正方法】変更
【補正の内容】
【００７１】
【図１】本発明による吸収性物品の第１の実施形態の概略上面図である。
【図２】本発明による吸収性物品の第２の実施形態の概略上面図である。
【図３】本発明による吸収性物品の第３の実施形態の概略上面図である。
【図４】本発明による吸収性物品の第４の実施形態の概略上面図である。
【図５】本発明による吸収性物品の第５の実施形態の概略上面図である。
【図５ａ】図５の線ａ−ａに沿った断面図である。
【図５ｂ】図５の線ｂ−ｂに沿った断面図である。
【図６ａ】数回、従来の吸収性物品と係合し、それから取り外された標準試験布帛の写真である。
【図６ｂ】数回、本発明の吸収性物品と係合し、それから取り外された標準試験布帛の写真である。
【図７】本発明による吸収性物品の好ましい製造方法の概略図である。
【図８】本発明による吸収性物品の好ましい製造方法の概略図である。
【図９】本発明による吸収性物品の好ましい製造方法の概略図である。
【図１０】本発明による吸収性物品の好ましい製造方法の概略図である。
【図１１】本発明による吸収性物品の好ましい製造方法の概略図である。
【図１２】本発明による吸収性物品の好ましい製造方法の概略図である。
【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
医薬を吸入によって送達するための吸入器用の作動装置であって、
医薬を収容するチャンバを画成する本体(23)と、前記本体(23)から延びる弁棒(25)とを備えるキャニスタ(5)を受けるための、ハウジング(11)と、
前記作動装置を、使用者によって作動可能となるようにプライミングするためのプライミング機構(7)とを備え、前記プライミング機構(7)が、支持部材(27)を備え、前記支持部材(27)が、前記キャニスタ(5)の前記弁棒(25)を受けるためのノズルブロック(31)を備え、前記支持部材(27)は、前記キャニスタ(5)が動作不可能である第1の非動作位置と、キャニスタ(5)が動作可能である第2のプライミングされた位置との間で、ハウジング(11)に対して移動可能である、作動装置。
【請求項２】
前記プライミング機構(7)が、前記支持部材(27)を前記非動作位置と前記プライミングされた位置との間で動かすための駆動部材(29)をさらに備える、請求項１に記載の作動装置。
【請求項３】
前記支持部材(27)が、カム面(35)を備え、前記駆動部材(29)が、カム要素(49)を備え、前記駆動部材(29)が、カム面(55)を備え、前記カム面(55)は、前記駆動部材(29)が第１の非動作位置と第２のプライミングされた位置との間で運動すると、前記支持部材(27)が前記非動作位置と前記プライミングされた位置との間で動かされるように、前記支持部材(27)の前記カム面(35)に係合する、請求項２に記載の作動装置。
【請求項４】
前記支持部材(27)は、前記支持部材(27)の前記カム面(35)を画成するカムボア(32)を備え、前記カム要素(49)は、前記カムボア(32)内に配置され、前記非動作位置と前記プライミングされた位置との間で回転可能な回転可能要素である、請求項３に記載の作動装置。
【請求項５】
前記ハウジングが、出口(13)を備え、それを通して使用時に前記使用者が吸入し、前記ハウジングがさらに、キャップ(14)を備え、前記キャップは、前記出口(13)を取り囲む閉位置と、前記キャップが前記出口を取り囲まない開位置との間で動かすことができ、前記キャップのその閉位置と開位置の間の運動によって、前記支持部材がその非動作位置とプライミングされた位置との間で動かされる、請求項１から４のいずれか一項に記載の作動装置。
【請求項６】
前記出口(13)が、マウスピースである、請求項５に記載の作動装置。
【請求項７】
前記キャップ(14)が、枢動式に前記駆動部材(29)に結合され、任意で係合ラグ(15)を備え、前記キャップ(14)が実質的に前記駆動部材(29)の剛性延長部となるように、前記キャップ(14)が前記閉位置から枢動されると、前記係合ラグ(15)が、前記駆動部材(29)に係合する、請求項４に従属する場合の請求項５または６に記載の作動装置。
【請求項８】
前記ハウジング(11)が、停止部材(19)を備え、前記停止部材(19)は、前記支持部材(27)が前記プライミングされた位置となるまで前記キャニスタ(5)の作動を妨げる、請求項１から７のいずれか一項に記載の作動装置。
【請求項９】
前記キャニスタ(5)を作動させるための作動機構(9)をさらに備える、請求項１から８のいずれか一項に記載の作動装置。
【請求項１０】
前記作動機構(9)が、少なくとも一つの作動部材(63a、b)を備え、前記作動部材は、第１の内側位置と、前記少なくとも一つの作動部材(63a、b)が使用者による作動のために設けられる第２の外部展開位置との間で、前記ハウジング(11)に対して可動式に配置される、請求項９に記載の作動装置。 
【請求項１１】
前記支持部材(27)が、前記非動作位置と前記プライミングされた位置との間で動くと、前記少なくとも一つの作動部材(63a、b)が、前記内側位置と前記展開位置の間で動かされるように、前記作動機構(9)が、前記プライミング機構(7)に動作可能に結合される、請求項１０に記載の作動装置。
【請求項１２】
前記作動機構(9)が、通常前記少なくとも一つの作動部材(63a、b)を前記外部展開位置へと付勢する付勢要素(83)を備える、請求項１０に記載の作動装置。
【請求項１３】
前記作動機構(9)が、装填部材(61)をさらに備え、前記装填部材(61)は、前記キャニスタ(5)の前記本体(23)上に配置可能であり、装填区間(75)を備え、前記装填区間(75)は、前記少なくとも一つの作動部材(63a、b)に結合され、そのため、前記少なくとも一つの作動部材(63a、b)を前記キャニスタ(5)の運動に応答して動かすことができ、前記支持部材(27)が前記プライミングされた位置にあるときに、前記キャニスタ(5)を前記少なくとも一つの作動部材(63a、b)の押下に応答して動かすことができる、請求項１０から１２のいずれか一項に記載の作動装置。
【請求項１４】
前記作動機構(9)が、装填部材(61)をさらに備え、前記装填部材(61)は、前記キャニスタ(5)の前記本体(23)上に配置可能であり、装填区間(75)を備え、前記装填区間(75)は、前記少なくとも一つの作動部材(63a、b)に係合させることができ、そのため、前記支持部材(27)が前記プライミングされた位置にあるときに、前記キャニスタ(5)を前記少なくとも一つの作動部材(63a、b)の押下に応答して動かすことができる、請求項１０から１２のいずれか一項に記載の作動装置。
【請求項１５】
前記装填部材(61)が、キャップ要素であり、前記キャニスタ(5)の前記本体(23)の外周壁の周りに嵌るようになされたスリーブ(71)と、前記キャニスタ(5)の前記本体(23)の基部に係合するようになされた、前記スリーブ(71)の一端部にある端部区間(73)と、前記スリーブ(71)のもう一方の端部にある前記装填区間(75)とを備える、請求項１３または１４に記載の作動装置。
【請求項１６】
前記装填区間(75)が、外向きに延びるフランジを備える、請求項１３から１５のいずれか一項に記載の作動装置。
【請求項１７】
前記少なくとも一つの作動部材(63a、b)が、枢動式に前記ハウジング(11)に結合され、第１の把持要素(77)を備え、前記第１の把持要素(77)は、前記枢動部(67a、b)から前記ハウジング(11)の長さに沿って延び、前記キャニスタ(5)を作動する際に前記使用者によって把持および押下されるように構成され、前記作動部材がさらに、第２の装填要素(79)を備え、前記第２の装填要素(79)は、前記枢動部(67a、b)から内向きに延び、前記装填部材(61)の前記装填区間(75)に係合する、請求項１３から１６のいずれか一項に記載の作動装置。
【請求項１８】
前記作動機構(9)が、反対方向関係で配置された第１および第２の作動部材(63a、b)を備える、請求項９から１７のいずれか一項に記載の作動装置。
【請求項１９】
請求項１から１８のいずれか一項に記載の作動装置と、医薬を収容するキャニスタ(5)とを備える吸入器。
【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
医薬を吸入によって送達するための吸入器であって、
キャニスタ（３０５）であって、基部および頭部を有し、医薬を収容するチャンバを画成する本体（３２３）と、前記本体（３２３）の前記頭部から延びる弁棒（３２５）とを備え、使用時に前記キャニスタ（３０５）が作動されると前記弁棒（３２５）から医薬が送達される、キャニスタ（３０５）と、
前記キャニスタを受けるハウジング（３１１）を有する主本体（３０３）、および前記キャニスタ（３０５）を作動させるための作動機構（３０９）を備える作動装置と、を備え、
前記作動機構（３０９）が、装填部材（３６１）を備え、前記装填部材（３６１）は、前記キャニスタ本体（３２３）の前記頭部に嵌められ、かつ、装填部分（３７５）を備え、前記装填部分（３７５）は、前記キャニスタ（３０５）の前記本体（３２３）の前記基部から離隔して配置され、使用時に作用を受けて、前記装填部材（３６１）を、作動方向において、第１の休止位置から、医薬を送達するために前記キャニスタ（３０５）が作動される第２の作動位置へと駆動し、前記作動機構（３０９）がさらに、少なくとも１つの作動部材（３６３ａ、ｂ）を備え、前記作動部材は、医薬を送達するために前記キャニスタ（３０５）を作動させるように、前記装填部材（３６１）を前記作動方向において前記作動位置へと駆動するよう、使用者によって作動させることができ、
前記少なくとも１つの作動部材（３６３ａ、ｂ）が、前記ハウジング（３１１）に対して第１の休止位置から第２の作動位置へと枢動運動するように、前記ハウジングに枢動式に結合され、前記第２の作動位置において、前記装填部材（３６１）が、医薬を送達するために前記キャニスタ（３０５）を作動させるように、前記作動方向において前記作動位置へと駆動され、
前記少なくとも１つの作動部材（３６３ａ、ｂ）が、把持要素（３７７）を備え、前記把持要素（３７７）は、前記ハウジング（３１１）の長さに沿って延び、前記キャニスタ（３０５）を作動させる際に前記使用者によって把持および押圧されるように構成される、吸入器。
【請求項２】
前記装填部材（３６１）の前記装填部分（３７５）が、実質的に環状の部分を備える、請求項１に記載の吸入器。
【請求項３】
医薬を送達するために前記キャニスタ（３０５）を作動させるように、前記装填部材（３６１）を前記作動方向において前記作動位置へと駆動するよう、前記少なくとも１つの作動部材が前記第１の休止位置から前記第２の作動位置へと枢動するときに、前記装填部材（３６１）の前記装填部分（３７５）に係合するための装填要素（３７９）を、前記少なくとも１つの作動部材（３６３ａ、ｂ）が備える、請求項１または２に記載の吸入器。
【請求項４】
前記把持要素（３７７）が、前記ハウジング（３１１）の長さに沿って枢動部（３７６）から延び、前記装填要素（３７９）が、前記枢動部（３７６）から内向きに延びる、請求項３に記載の吸入器。
【請求項５】
前記ハウジング（３１１）は、少なくとも１つの側方開口（３４９ａ、ｂ）を備え、前記側方開口（３４９ａ、ｂ）内に、前記使用者が押圧するための前記少なくとも１つの作動部材（３６３ａ、ｂ）が配置される、請求項１から４のいずれか一項に記載の吸入器。
【請求項６】
前記作動機構（３０９）が、反対方向に向けられた関係となるように配置された第１および第２の作動部材（３６３ａ、ｂ）を備える、請求項１から５のいずれか一項に記載の吸入器。
【請求項７】
前記主本体（３０３）が、前記キャニスタ（３０５）の前記弁棒（３２５）を受けるノズルブロック（３３３）を備える、請求項１から６のいずれか一項に記載の吸入器。
【請求項８】
前記ハウジング（３１１）が、出口部材（３１３）を備え、該出口部材は、これを通じて前記使用者が使用時に吸入するものである、請求項１から７のいずれか一項に記載の吸入器。
【請求項９】
前記出口部材（３１３）が、マウスピースである、請求項８に記載の吸入器。
【請求項１０】
前記装填部材（３６１）が、前記キャニスタ本体（３２３）の前記頭部に恒久的に嵌められる、請求項１〜９のいずれか一項に記載の吸入器。
【請求項１１】
前記装填部材（３６１）が、前記キャニスタ本体（３２３）の首部（３９７）において前記キャニスタ本体（３２３）に取り付けられる、請求項１〜１０のいずれか一項に記載の吸入器。
【請求項１２】
前記装填部材（３６１）が、前記首部（３９７）に対して対向した関係にある内面を有するスリーブ（３７１）と、前記首部（３９７）に取り付けられて、かつ、前記内面に連結される環状要素（３９５）とを備える、請求項１１に記載の吸入器。
【請求項１３】
前記キャニスタ本体（３２３）が、前記基部から前記頭部へと延びる外周面を有し、前記装填部材（３６１）が、前記外周面の周りで前記頭部に隣接して配置されるスリーブ（３７１）を有し、前記装填部分（３７５）を提供する、請求項１から１１のいずれか一項に記載の吸入器。
【請求項１４】
前記環状要素（３９５）が、前記装填部分（３７５）を提供する、請求項１２に記載の吸入器。
【請求項１５】
請求項１から１４のいずれか一項に記載の吸入器の作動装置。
【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
医薬を吸入によって送達するための吸入器であって、
キャニスタ（５）であって、医薬を収容するチャンバを画成する本体（２３）、および前記本体（２３）から延びる弁棒（２５）を備え、使用時に前記キャニスタ（５）が作動されると前記弁棒（２５）から医薬が送達される、キャニスタ（５）と、
作動装置と、を備え、前記作動装置が、
前記キャニスタ（５）を内部に受けるハウジング（１１）と、
前記キャニスタ（５）を作動するための作動機構（９）と、を備え、
該作動機構（９）が、前記キャニスタ（５）の前記本体（２３）に嵌められるまたはそれに含まれる装填部材（６１）と、医薬を送達するために前記キャニスタ（５）を作動させるように、使用者によって動作させることができる作動部材（６３）と、駆動部材（６５）とを備え、
前記駆動部材（６５）は、前記装填部材（６１）と前記作動部材（６３）とを動作可能に結合し、前記作動部材（６３）の動作時に枢動させられて、前記装填部材（６１）に係合し、該装填部材を第１の休止位置から、前記キャニスタ（５）が作動される第２の作動位置へと駆動するように枢動式に取り付けられる、吸入器。
【請求項２】
前記キャニスタ（５）の前記本体（２３）が、基部および頭部を備え、前記装填部材（６１）が、前記キャニスタ（５）の前記本体（２３）の前記基部を覆って配置され、前記駆動部材（６５）によって係合される装填部分（７５）を備える、請求項１に記載の吸入器。
【請求項３】
前記装填部材（６１）の前記装填部分（７５）が、実質的に環状の部分を備える、請求項２に記載の吸入器。
【請求項４】
前記装填部材（６１）が、前記キャニスタ（５）の前記本体（２３）の外周面の周りに嵌るスリーブ（７１）と、前記スリーブ（７１）の一端にあり、前記キャニスタ（５）の前記本体（２３）の前記基部に係合する端部分（７３）と、前記スリーブ（７１）の他端に前記装填部分（７５）とを備える、請求項２または３に記載の吸入器。
【請求項５】
前記装填部材（６１）の前記スリーブ（７１）が、実質的に前記キャニスタ（５）の前記本体（２３）の前記頭部へと延びる、請求項４に記載の吸入器。
【請求項６】
前記駆動部材（６５）が、前記キャニスタ（５）の対向した側面間に延び、前記キャニスタ（５）の前記対向した側面の一方側に枢動式に取り付けられ、
前記作動部材（６３）が、作動要素（８３）を備え、前記作動要素（８３）が、前記キャニスタ（５）の前記対向した側面の他方側に配置され、前記作動部材（６３）の動作時に、前記駆動部材（６５）を枢動させるべく前記駆動部材に係合するよう作用する、請求項１から５のいずれか一項に記載の吸入器。
【請求項７】
前記作動部材（６３）の前記作動要素（８３）が、フランジ要素を備える、請求項６に記載の吸入器。
【請求項８】
前記作動部材（６３）が、前記キャニスタ（５）の前記本体（２３）の前記基部を覆って配置され、前記作動部材は、前記装填部材（６１）の前記スリーブ（７１）の外周面の周りに嵌るスリーブ（８１）と、前記スリーブ（８１）の一方の末端に配置された前記作動要素（８３）と、前記スリーブ（８１）の他端にあり、前記作動部材（６３）を動作させる際に前記使用者によって作用される端部分（８５）とを備える、請求項４または５に従属する場合の請求項６または７に記載の吸入器。
【請求項９】
前記駆動部材（６５）が、少なくとも１つの駆動アーム（９１ａ、ｂ）を備え、前記駆動アームが、一端部において枢動部（４７）に結合され、前記装填部材（６１）の前記装填部分（７５）に係合する、請求項６から８のいずれか一項に記載の吸入器。
【請求項１０】
前記駆動部材（６５）が、第１および第２の駆動アーム（９１ａ、ｂ）を備え、該駆動アームが、前記キャニスタ（５）の前記対向した側面側において前記装填部材（６１）の前記装填部分（７５）に係合するように、前記枢動部（４７）から前記キャニスタ（５）の対向した側面の周りに延び、前記駆動部材（６５）がさらに、連結要素（９５）を備え、前記連結要素（９５）は、前記駆動アーム（９１ａ、ｂ）のもう一方の末端を相互連結させ、前記作動部材（６３）の前記作動要素（８３）によって係合される、請求項９に記載の吸入器。
【請求項１１】
前記駆動アーム（９１ａ、ｂ）がそれぞれ、駆動点（９７）を備え、該駆動点（９７）は、実質的に前記ハウジング（１１）の長手軸と交差する平面内で、前記装填部材（６１）の前記装填部分（７５）に係合する、請求項１０に記載の吸入器。
【請求項１２】
前記ハウジング（１１）が、前記キャニスタ（５）の前記弁棒（２５）を受けるノズルブロック（３１）を備える、請求項１から１１のいずれか一項に記載の吸入器。
【請求項１３】
前記ハウジング（１１）が、出口（１３）を備え、該出口を通じて前記使用者が吸入する、請求項１から１２のいずれか一項に記載の吸入器。
【請求項１４】
前記出口（１３）がマウスピースである、請求項１３に記載の吸入器。
【請求項１５】
請求項１から１４のいずれか一項に記載の吸入器の、前記作動装置。
【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
医薬を吸入によって送達するための吸入器であって、
キャニスタ（５）であって、基部および頭部を有し、医薬を収容するチャンバを画成する本体（２３）と、前記本体（２３）から延びる弁棒（２５）とを備え、使用時に前記キャニスタ（５）が作動されると弁棒（２５）から医薬が送達される、キャニスタ（５）と、
前記キャニスタを受けるハウジング（１１）と、前記キャニスタ（５）を作動させるための作動機構（９）と、を備えた作動装置と、
前記作動機構（９）が、装填部材（６１）を備え、該装填部材（６１）は、前記キャニスタ（５）の前記本体（２３）に嵌め込まれ、またはそれに含まれ、かつ、装填部分（７５）を備え、該装填部分（７５）は、前記キャニスタ（５）の前記本体（２３）の前記基部から離隔して配置され、かつ、前記装填部材（６１）を、第１の休止位置から、医薬を送達するために前記キャニスタ（５）が作動される第２の作動位置へと駆動するように作用し、
前記作動機構（９）がさらに作動部材（６３）を備え、該作動部材（６３）は、前記キャニスタ（５）の前記本体（２３）の前記基部に設けられ、前記装填部材（６１）の前記装填部分（７５）へと結合され、医薬を送達するよう前記キャニスタ（５）を作動させるために使用者によって動作させることができる、吸入器。
【請求項２】
前記装填部材（６１）の前記装填部分（７５）が、前記キャニスタ（５）の前記本体（２３）の頭部に配置される、請求項１に記載の吸入器。
【請求項３】
前記作動機構（９）が、前記装填部材（６１）の前記装填部分（７５）と前記作動部材（６３）とを動作可能に結合させる、駆動部材（６５）をさらに備える、請求項１または２に記載の吸入器。
【請求項４】
前記駆動部材（６５）が、前記作動部材（６３）の動作時に前記装填部材（６１）の前記装填部分（７５）に係合すべく枢動されるように、枢動式に取り付けられる、請求項３に記載の吸入器。
【請求項５】
前記装填部材（６１）は、前記キャニスタ（５）の前記本体（２３）の前記基部を覆って配置される、請求項４に記載の吸入器。
【請求項６】
前記装填部材（６１）の前記装填部分（７５）が、実質的に環状の部分を備える、請求項５に記載の吸入器。
【請求項７】
前記装填部材（６１）は、前記キャニスタ（５）の前記本体（２３）の外周面の周りに嵌るスリーブ（７１）と、前記スリーブ（７１）の一端にあり、前記キャニスタ（５）の前記本体（２３）の前記基部に係合する端部分（７３）と、前記スリーブ（７１）の他端にある前記装填部分（７５）とを備える、請求項５または６に記載の吸入器。
【請求項８】
前記装填部材（６１）の前記スリーブ（７１）が、実質的に、前記キャニスタ（５）の前記本体（２３）の前記頭部へと延びる、請求項７に記載の吸入器。
【請求項９】
前記作動部材（６３）は、前記キャニスタ（５）の前記本体（２３）の前記基部を覆って配置されており、前記装填部材（６１）の前記スリーブ（７１）の外周面の周りに嵌るスリーブ（８１）と、前記スリーブ（８１）の一方の末端に配置され、前記駆動部材（６５）を枢動させるように前記駆動部材（６５）に係合する作動要素（８３）と、スリーブ（８１）の他端にあり、前記作動部材（６３）を動作させるときに前記使用者によって作用される端部分（８５）と、を備える、請求項７または８に記載の吸入器。
【請求項１０】
前記作動部材（６３）の前記作動要素（８３）が、フランジ要素を備える、請求項９に記載の吸入器。
【請求項１１】
前記駆動部材（６５）が、前記キャニスタ（５）の対向した側面間に延び、前記キャニスタ（５）の対向した側面の一方側において枢動式に取り付けられ、前記作動部材（６３）の前記作動要素（８３）が、前記キャニスタ（５）の対向した側面の他方側に配置される、請求項９または１０に記載の吸入器。
【請求項１２】
前記ハウジング（１１）が、前記キャニスタ（５）の前記弁棒（２５）を受けるノズルブロック（３１）を備える、請求項１から１１のいずれか一項に記載の吸入器。
【請求項１３】
前記ハウジング（１１）が、出口（１３）を備え、前記使用者が前記出口を通じて吸引する、請求項１から１２のいずれか一項に記載の吸入器。
【請求項１４】
前記出口（１３）がマウスピースである、請求項１３に記載の吸入器。
【請求項１５】
請求項１から１４のいずれか一項に記載の吸入器の、前記作動装置。
【手続補正書】
【提出日】平成21年1月21日(2009.1.21)
【手続補正１】
【補正対象書類名】特許請求の範囲
【補正対象項目名】全文
【補正方法】変更
【補正の内容】
【特許請求の範囲】
【請求項１】
医薬を吸入によって送達するための吸入器において、
キャニスタ(5;105)であって、医薬を収容するチャンバを画成する本体(23;123)、および前記本体(23;123)から延びる弁棒(25;125)を備え、使用時に前記キャニスタ(5;125)が作動されると弁棒(25;125)から医薬が送達される、キャニスタ(5;105)と、
前記キャニスタを受けるハウジング(11;111)を有する主本体(3;103)、およびキャニスタ(5;105)を作動させるための作動機構(9;109)を備える、作動装置と、を備え、
前記作動機構(9;109)は、前記キャニスタ(5;105)に係合しまたはそれに含まれる装填部材(61;161)と、少なくとも一つの作動部材(63a、b;163a、b)とを備え、前記作動部材は、前記装填部材(61;161)を作動方向で、第１の休止位置から、医薬を送達するために前記キャニスタ(5;105)が作動される第２の作動位置へと駆動するために、使用者が押下することができ、
前記少なくとも一つの作動部材(63a、b;163a、b)は、可撓性要素であり、前記可撓性要素は、前記装填部材(61;161)が前記第１の休止位置にあるときに、第１の曲げられた構成を有し、押下時に、前記装填部材(61;161)を前記作動方向で、前記第１の休止位置から前記第２の作動位置へと駆動するように、前記作動方向に延ばされる、吸入器。
【請求項２】
前記主本体(3;103)が、前記少なくとも1つの作動部材(63a、b;163a、b)に係合する少なくとも一つの係合要素(31a、b;153a、b)を備える、請求項１に記載の吸入器。
【請求項３】
前記主本体(3;103)の前記ハウジング(11;111)が、前記少なくとも一つの係合要素(31a、b;153a、b)を備える、請求項２に記載の吸入器。
【請求項４】
前記主本体(3;103)上の前記少なくとも1つの係合要素(31a、b;153a、b)が、少なくとも一つの作動部材(63a、b;163a、b)の一端部に係合する、請求項２または３に記載の吸入器。
【請求項５】
前記装填部材(61;161)が、前記少なくとも1つの作動部材(63a、b;163a、b)に係合する少なくとも一つの係合要素(73a、b;151a、b)を備える、請求項１から４のいずれか一項に記載の吸入器。
【請求項６】
前記装填部材(61;161)上の前記少なくとも一つの係合要素(73a、b;151a、b)が、少なくとも一つの作動部材(63a、b;163a、b)の一端部に係合する、請求項５に記載の吸入器。
【請求項７】
前記キャニスタ(5)の前記本体(23)が、基部および頭部を備え、装填部材(61)が、前記キャニスタ(5)の前記本体(23)の前記頭部に取り付けられる、請求項１から６のいずれか一項に記載の吸入器。
【請求項８】
前記装填部材(61)が、前記キャニスタ(5)の前記本体(23)の前記頭部がその中に固定されるスリーブ(71)と、前記少なくとも一つの係合要素(73a、b;151a、b)を有する本体区間(65)とを備える、請求項５または６に従属する場合の請求項７に記載の吸入器。
【請求項９】
前記キャニスタ(105)の前記本体(123)が、基部および頭部を備え、前記装填部材(161)が、前記キャニスタ(105)の前記本体(123)の前記基部を覆って配置される、請求項１から６のいずれか一項に記載の吸入器。
【請求項１０】
前記装填部材(161)が、前記キャニスタ(105)の前記本体(123)の外周面の周りに嵌るスリーブ(171)を備え、前記装填部材(161)が、前記少なくとも一つの係合要素(151a、b)と、前記キャニスタ(105)の前記本体(123)の前記基部に係合する前記スリーブ(171)の一端部にある端部区間(173)と、を備える、請求項５または６に従属する場合の請求項９に記載の吸入器。
【請求項１１】
前記少なくとも一つの係合要素(151a、b)が、前記装填部材(161)の前記スリーブ(171)のもう一方の端部に配置される、請求項１０に記載の吸入器。
【請求項１２】
前記装填部材(161)の前記スリーブ(171)が、前記キャニスタ(105)の前記本体(123)の前記頭部へと実質的に延びる、請求項１０または１１に記載の吸入器。
【請求項１３】
前記少なくとも一つの作動部材(63a、b;163a、b)が、細長要素である、請求項１から１２のいずれか一項に記載の吸入器。
【請求項１４】
前記少なくとも一つの作動部材(63a、b;163a、b)が、押下されていないとき前記曲げられた構成となる弾性要素である、請求項13に記載の吸入器。
【請求項１５】
前記ハウジング(11)が、少なくとも一つの側方開口(29a、b)を備え、その中に、前記使用者が押下するための前記少なくとも1つの作動部材(63a、b)が配置される、請求項１から１４のいずれか一項に記載の吸入器。
【請求項１６】
前記主本体(103)が、少なくとも一つの把持部材(115a、b)をさらに備え、前記把持部材は、前記作動機構(109)を作動する際に、押下されると前記少なくとも一つの作動部材(163a、b)に係合するように前記ハウジング(111)に対して可動式に配置される、請求項１から１４のいずれか一項に記載の吸入器。
【請求項１７】
前記少なくとも一つの把持部材(115a、b)が、前記ハウジング(111)に枢動式に結合される、請求項１６に記載の吸入器。
【請求項１８】
前記作動機構(109)が、第１および第２の作動部材(63a、b;163a、b)を備える、請求項１から１７のいずれか一項に記載の吸入器。
【請求項１９】
前記作動部材(63a、b;163a、b)が、前記ハウジング(11;111)の対向側部に配置される、請求項１８に記載の吸入器。
【請求項２０】
前記主本体(3;103)が、前記キャニスタ(5;105)の前記弁棒(25;125)を受けるノズルブロック(33;133)を備える、請求項１から１９のいずれか一項に記載の吸入器。
【請求項２１】
前記ハウジング(11;111)が、出口部材(13;113)を備え、それを通じて前記使用者が吸入する、請求項１から２０のいずれか一項に記載の吸入器。
【請求項２２】
前記出口部材(13;113)が、マウスピースである、請求項２１に記載の吸入器。
【請求項２３】
請求項１から２２のいずれか一項に記載の吸入器の、前記作動装置。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
電磁トランスジューサーにおいて、
フレームと、
前記フレーム内に配置され、前記フレームに対し、前記フレームとの間の連結部のところで回転軸線を中心として回転できるように前記フレームに連結されたパネルと、
前記パネルに連結された導電性コイルと、
前記フレームに連結された磁気構造とを有し、前記磁気構造は、磁界が提供される隙間を含み、前記隙間は、前記導電性コイルを受け入れるように位置決めされ、
前記導電性コイルは、前記隙間内で電荷が加えられ、前記パネルは前記回転軸線を中心として回転し、空気を変位するように移動する、電磁トランスジューサー。
【請求項２】
請求項１に記載の電磁トランスジューサーにおいて、
前記隙間は湾曲しており、前記導電性コイルは湾曲しており、前記湾曲したコイルは、前記パネルが前記回転軸線を中心として回転するとき、前記湾曲した隙間内で、前記磁気構造に対して半径方向経路内で移動するように、前記湾曲した隙間内に配置される、電磁トランスジューサー。
【請求項３】
請求項１に記載の電磁トランスジューサーにおいて、
前記パネルは前記フレームにベアリングによって連結されており、前記パネルは、前記フレームに対し、前記ベアリングを中心として回転する、電磁トランスジューサー。
【請求項４】
請求項１に記載の電磁トランスジューサーにおいて、
前記パネルは、前記回転軸線を中心として回転していない場合には第１位置にあり、前記パネルは、ばねに連結されており、前記ばねは、前記パネルが回転するとき、前記パネルの回転に抵抗し、前記パネルが回転していない場合には、前記パネルを前記第１位置に維持する、トランスジューサー。
【請求項５】
請求項１に記載の電磁トランスジューサーにおいて、
前記パネルは、前記回転軸線を中心として回転していない場合には第１位置にあり、前記パネルは、第１磁石を含み、前記フレームは第２磁石及び第３磁石を含み、前記第１磁石は、前記パネルが回転するとき、前記第２磁石及び前記第３磁石による磁気的斥力を受け、前記パネルが回転していない場合には、前記磁気的斥力が前記パネルを前記第１位置に維持するように、前記第２磁石及び前記第３磁石に対して配向されている、トランスジューサー。
【請求項６】
請求項１に記載の電磁トランスジューサーにおいて、
前記磁気構造は、少なくとも１つの磁石を有し、該磁石は、透磁性導体により前記隙間に導かれる磁束を発生する、電磁トランスジューサー。
【請求項７】
請求項１に記載の電磁トランスジューサーにおいて、
前記パネルは、その少なくとも１つの面で湾曲している、電磁トランスジューサー。
【請求項８】
請求項１に記載の電磁トランスジューサーにおいて、
前記パネルは、ホーンの一体の壁であり、別のトランスジューサーが発生した音響波を導く、電磁トランスジューサー。
【請求項９】
スピーカーシステムにおいて、
スロートから口までフレア状区分を形成する壁を持つホーンと、
前記ホーンの前記壁の一つに沿って配置された少なくとも一つの電磁オーディオトランスジューサーとを含み、
前記少なくとも一つの電磁オーディオトランスジューサーは、フレームと、該フレーム内に配置された、内面及び外面を持つパネルと、前記内面に連結された導電性コイルと、前記フレームに連結された磁気構造とを含み、前記導電性コイルには、前記磁気構造に対して電荷が加えられ、前記パネルが前記フレームに対して移動し、前記ホーン内に音響波を発生し、前記パネルは、前記ホーン内の第２オーディオトランスジューサーの音響波を案内する、スピーカーシステム。
【請求項１０】
請求項９に記載のスピーカーシステムにおいて、
前記フレームは台形形状である、スピーカーシステム。
【請求項１１】
スピーカーにおいて、
バッフルと、
前記バッフル内に配置されており、前記バッフルに対して回転軸線を中心として回転できるように前記バッフルに連結されたパネルと、
前記パネルに連結された導線性コイルと、
前記バッフルに連結された磁気構造とを備え、  
前記磁気構造は、磁界が提供される隙間を持ち、前記隙間は、前記導電性コイルを受け入れるように位置決めされ、
前記導電性コイルは、前記隙間内で電荷が加えられ、前記パネルは前記回転軸線を中心として回転し、空気を変位するように移動する、スピーカー。
【請求項１２】
請求項１１に記載のスピーカーにおいて、
前記バッフルには、前記パネルと前記バッフルとの間を通過するように空気を制限するように、前記パネルと対応する形状を持ち且つ前記パネルを包囲するように受け入れる穴が設けられている、スピーカー。
【請求項１３】
請求項１２に記載のスピーカーにおいて、
前記穴は、内壁によって部分的に形成されており、前記パネルはチップ端を有し、前記内壁は前記チップ端と整合し、前記内壁は、前記パネルが回転するとき、前記チップ端と前記湾曲した内壁との間にほぼ一定の距離が維持されるように湾曲している、スピーカー。
【請求項１４】
請求項１１に記載のスピーカーにおいて、
前記スピーカーを少なくとも一つの他のスピーカーと組み合わせ、スピーカーシステムを形成する、スピーカー。
【請求項１５】
請求項１１に記載のスピーカーにおいて、
前記パネルはホーンの一体の壁である、スピーカー。
【請求項１６】
請求項１１に記載のスピーカーにおいて、
前記パネルは、音響波を別のトランスジューサーから案内する、スピーカー。